(57)【要約】【課題】本発明は、強度を高めつつ、台紙に印刷されたアイキャッチャの高い視認性を維持しつつ、表面及び裏面に収納部を形成可能なブリスターパッケージを提供する。【解決手段】ブリスターパッケージ１は、表面側方向と裏面側方向のそれぞれに突出した凸状の収納部（表面側方向収納部１０９及び裏面側方向収納部１１１）を有するように形成されているブリスター１０１を有し、収納部に収納される被収納物を保持する台紙２０１が、ブリスター１０１の両面に接着され、ブリスター１０１の収納部の周辺を切れ目無く囲むように、台紙２０１が接着されている。【選択図】図３
2011213398.tif 000002
【特許請求の範囲】
【請求項１】
表面側方向と裏面側方向のそれぞれに突出した凸状の収納部を有するように形成されているブリスターを有し、
前記収納部に収納される被収納物を保持する台紙が、前記ブリスターの両面に接着され、
前記ブリスターの前記収納部の周辺を切れ目無く囲むように、前記台紙が接着されている
ブリスターパッケージ。
【請求項２】
前記ブリスターは、同一面側に突出した凸状の複数の収納部を有し、
前記ブリスターが前記複数の収納部の間位置において折り返されることによって、前記ブリスターには前記表面側方向及び裏面側方向のそれぞれに突出した凸状の収納部が形成される
請求項１に記載のブリスターパッケージ。
【請求項３】
前記ブリスターは、表面側方向及び裏面側方向に突出した複数の凸状の収納部を有する
請求項１に記載のブリスターパッケージ。
【請求項４】
前記ブリスターの両面方向に接着される台紙の大きさは、前記ブリスターの大きさと同等又はそれ以上であり、
前記台紙には、それぞれ前記収納部が突出するための穴部を有する
請求項２又は３に記載のブリスターパッケージ。
【請求項５】
前記台紙は、一体で、折り曲げられることによって、前記ブリスターの両面に接着される
請求項４に記載のブリスターパッケージ。
【請求項６】
前記ブリスターと、表面側方向の前記台紙又は裏面側方向の前記台紙とは、少なくとも一辺の端面が揃えられて接着されている
請求項４又は５に記載のブリスターパッケージ。
【請求項７】
前記ブリスターの前記収納部の周囲に接着部の内側に非接着部分を有する
請求項１〜６いずれか１項に記載のブリスターパッケージ。
【請求項８】
前記台紙上に、前記被収納物を取り出すための前記台紙の前記非接触部分を切り出すための目印を有する
請求項７に記載のブリスターパッケージ。
【発明の詳細な説明】
【技術分野】
【０００１】
本発明は、製品、付属品等を収納する収納部を複数有する構造のブリスターパッケージに関する。
【背景技術】
【０００２】
特許文献１及び特許文献２には、パッケージの片側に複数の収納部を有する構造を有するブリスターパッケージが開示されている。
また、図１４において示される技術では、ブリスターで全体をカバーし、裏表両面に収納部を持つ構造を有するブリスターパッケージが開示されている。この技術では、周辺部において接着、熱着、ホチキス止め等の方法で固定されている。
さらに、図１５において示される技術では、ブリスターの収納部を表用裏用に２つ設け、それを台紙で挟んで固定する構造を有するブリスターパッケージが開示されている。
【先行技術文献】
【特許文献】
【０００３】
【特許文献１】特開２００３―１４２０５６号公報
【特許文献２】特開２００７―２７６８５５号公報
【発明の概要】
【発明が解決しようとする課題】
【０００４】
しかしながら、特許文献１及び特許文献２に記載の方法においては、収納部は全て片側に設けられている為に、陳列の際に確実に見せたい物と、あまり見せたくない物とを同時にパッケージすることはできないという不利益があった。
ここで、たとえば、陳列の際に確実に見せたい物とは製品の本体部等が、あまり見せたくない物とは付属品が該当する。
さらに、この複数の収納部を顧客に見せる側に設けると、顧客にアピールするための宣伝文、ロゴ、図柄等（以下、「アイキャッチャ」という）を形成（印刷、成形等）するための面積が不足するという不利益があった。
【０００５】
本発明は、強度を高めつつ、台紙に印刷されたアイキャッチャの高い視認性を維持しつつ、表面及び裏面に収納部を形成可能なブリスターパッケージを提供することにある。
【課題を解決するための手段】
【０００６】
本発明のブリスターパッケージは、表面側方向と裏面側方向のそれぞれに突出した凸状の収納部を有するように形成されているブリスターを有し、前記収納部に収納される被収納物を保持する台紙が、前記ブリスターの両面に接着され、前記ブリスターの前記収納部の周辺を切れ目無く囲むように、前記台紙が接着されている。
【発明の効果】
【０００７】
本発明によると、強度を高めつつ、台紙に印刷されたアイキャッチャの高い視認性を維持しつつ、表面及び裏面に収納部を形成可能なブリスターパッケージを提供することができる。
【図面の簡単な説明】
【０００８】
【図１】本発明のブリスターパッケージの外観の斜視図である。
【図２】第１の実施形態におけるブリスターパッケージの各構成要件の展開図である。
【図３】第１の実施形態のブリスターパッケージを構成する各構成部材の位置関係の説明図である。
【図４】図３のＩＶ−ＩＶにおける断面図である。
【図５】表面側方向接着材部及び裏面側方向接着材部が形成されている部分の説明図である。
【図６】第１の実施形態のブリスターパッケージを組み立てる方法の説明図である。
【図７】図６のＡ部分の拡大図である。
【図８】表面側方向用切取線及び裏面側方向用切取線の説明図である。
【図９】図８のＢ部分の拡大図である。
【図１０】第２の実施形態におけるブリスターパッケージの各構成要件の展開図である。
【図１１】第２の実施形態のブリスターパッケージを構成する各構成部材の位置関係の説明図である。
【図１２】図１１のＸＩＩ−ＸＩＩにおける断面図である。
【図１３】第２の実施形態のブリスターパッケージを組み立てる方法の説明図である。
【図１４】第１の技術の説明図である。
【図１５】第２の技術の説明図である。
【図１６】図１５に記載された技術におけるブリスターパッケージを組み立てる方法の説明図である。
【発明を実施するための形態】
【０００９】
以下、発明を実施するための形態（以下実施形態とする）について説明する。
なお、説明は以下の順序で行う。
１．ブリスターパッケージ１の第１の実施形態の説明
２．ブリスターパッケージ１の第１の実施形態についての組み立て方法の説明
３．ブリスターパッケージ１の第１の実施形態についての表面側方向用切取線１７及び裏面側方向用切取線１９の説明
４．ブリスターパッケージ１の第２の実施形態の説明
５．ブリスターパッケージ１の第２の実施形態についての組み立て方法の説明
【００１０】
＜１．ブリスターパッケージ１の第１の実施形態の説明＞
図１は、本発明のブリスターパッケージ１の外観の斜視図である。
【００１１】
ブリスターパッケージ１は、その内部に被収納物（製品、各種の付属品、説明書、保証書等）を収納して、店頭にて陳列（多くは、陳列フックにフック用穴部１３を通すことによって架下されて陳列）される。
ここで、顧客に製品をアピールすることが主目的である面側を表面側方向といい、その反対側を裏面側方向という。図１においては、紙面左方向が表面側方向に該当し、紙面右方向が裏面側方向に該当する。
ブリスターパッケージ１の表面側方向の面には、アイキャッチャが形成されている。
このアイキャッチャは顧客の目に止まるように意匠を凝らされており、このアイキャッチャが汚れ、すれ、不必要な反射（てかり）等によって視認性が悪くなることは、製品の売れ行きを左右する重大事項である。
また、アイキャッチャの外部方向位置に後述するブリスター１０１によるアイキャッチャが外部に認識される変色、すれ、不必要な反射（てかり）等も同様に重大事項である。
さらに、保護シート等の透明部材（半透明部材）等が設けられている場合には、透明部材（半透明部材）によるアイキャッチャが外部に認識される変色、すれ、不必要な反射（てかり）等も同様に重大事項である。
【００１２】
ブリスターパッケージ１は、台紙２０１の表面側方向台紙２０３と裏面側方向台紙２０５にブリスター１０１が挟まれている。
そして、ブリスター１０１は表面側方向収納部１０９と裏面側方向収納部１１１を有している。
表面側方向収納部１０９は、表面側方向台紙２０３を貫通して表面側方向に凸形状に突出している。
裏面側方向収納部１１１は、裏面側方向台紙２０５を貫通して裏面側方向に凸形状に突出している。
【００１３】
表面側方向収納部１０９には、表面側方向被収納物３０９が収納されている。
裏面側方向収納部１１１には、裏面側方向被収納物３１１が収納されている。
通常、表面側方向被収納物３０９は製品であり、裏面側方向被収納物３１１は付属品が該当する。もっとも、表面側方向被収納物３０９と裏面側方向被収納物３１１をこれに限定する趣旨ではない。
また、表面側方向収納部１０９と裏面側方向収納部１１１の形状は、被収納物の形状に合わせて、又は、アイキャッチャとしての機能を向上させるために適宜変更可能である。
さらに、ブリスターパッケージ１の形状も、適宜変更可能である。
【００１４】
ここで、アイキャッチャは、表面側方向台紙２０３に印刷されるものが通常であるが、例えば、表面側方向台紙２０３の表面の厚さを変えること等によっても形成される。
さらに、ブリスターパッケージ１の形状及び表面側方向収納部１０９を一定の形状にしてアイキャッチャとして機能させることも可能である。
なお、表面側方向被収納物３０９も顧客に製品を展示して誘引する機能を有していることから、表面側方向被収納物３０９もアイキャッチャとしての機能を有している。
【００１５】
なお、ブリスター１０１は通常透明又は半透明に形成されている。そして、ブリスター１０１はプラスチック性の材料によって形成されている。もっとも場合によっては、ブリスター１０１は不透明に形成されていても良いし、プラスチック以外の材料によって形成されていても良い。
台紙２０１は、表面がコーティングされた紙によって形成されている。もっとも、台紙２０１の材料は紙に限定する趣旨ではなく、たとえば、プラスチック等の材料で形成されていても良い。
【００１６】
図２は、第１の実施形態におけるブリスターパッケージ１の各構成要件の展開図である。
図２（ａ）はブリスター１０１の展開図であり、図２（ｂ）は台紙２０１の展開図である。
【００１７】
図２（ａ）のように、ブリスター１０１は、表面側方向に配置される表面側方向ブリスター１０３と裏面側方向ブリスター１０５から構成される。
表面側方向ブリスター１０３は長方形形状を有している。裏面側方向ブリスター１０５は、表面側方向ブリスター１０３の短手方向の長さよりも短い辺からなる、略正方形形状を有している。
そして、表面側方向ブリスター１０３と裏面側方向ブリスター１０５とは、表面側方向ブリスター１０３の長手方向の辺において接続している。
この表面側方向ブリスター１０３と裏面側方向ブリスター１０５との接続部をブリスター山折線１０７という。
ブリスターパッケージ１を組み立てる際に、このブリスター山折線１０７を山折りする（具体的には、図３の説明を参照のこと）。
また、表面側方向ブリスター１０３の長手方向のブリスター山折線１０７とは反対側の辺を表面側方向ブリスター上方端部１０３ａという。
【００１８】
表面側方向ブリスター１０３のブリスター山折線１０７とは反対側の位置に、ブリスターフック用穴部１１３が形成されている。
表面側方向ブリスター１０３の中央付近には、表面側方向収納部１０９が形成されている。
表面側方向収納部１０９は、角柱形状を有しており表面側方向に凸状の突起が突出して形成されている。この凸状の突起は断面形状がコ字形状を有している。
また、裏面側方向ブリスター１０５の中央付近には、裏面側方向収納部１１１が形成されている。
裏面側方向収納部１１１は、角柱形状を有しており表面側方向に凸状の突起が突出して形成されている。この凸状の突起は断面形状がコ字形状を有している。
【００１９】
なお、表面側方向ブリスター１０３と裏面側方向ブリスター１０５の接続は、表面側方向ブリスター１０３の長手方向位置で接続されている必要はなく、短手方向の全辺又は辺の一部で接続されていても良い。
また、表面側方向ブリスター１０３と裏面側方向ブリスター１０５の大きさも、表面側方向ブリスター１０３が裏面側方向ブリスター１０５よりも大きく形成されている必要はなく、任意に変更可能である。
【００２０】
図２（ｂ）のように、台紙２０１は表面側方向台紙２０３と裏面側方向台紙２０５とを有している。
そして、表面側方向台紙２０３と裏面側方向台紙２０５とは、長方形の略同一の形状を有している。
表面側方向台紙２０３と裏面側方向台紙２０５とは、それぞれの長手方向において接続されている。
そして、この接続されている部分を台紙山折線２０７といい、この位置から山折りされる。
また、表面側方向台紙２０３の形状は表面側方向ブリスター１０３とほぼ同一の形状で又は大きく形成されており、裏面側方向台紙２０５の形状は裏面側方向ブリスター１０５よりも大きく形成されている。
つまり、台紙２０１の大きさは、ブリスター１０１の大きさと同等又はそれ以上である。これによって、台紙２０１は完全にブリスター１０１を挟み込み、かつ、固定することが可能となっている。
【００２１】
表面側方向台紙２０３には、表面側方向ブリスター１０３に形成された表面側方向収納部１０９に対応する位置に表面側方向収納部用穴部２０９が形成されている。
この表面側方向収納部用穴部２０９は抜け穴構造となっており、表面側方向収納部１０９の外周よりも僅かに大きく形成されている。
また、ブリスター山折線１０７から表面側方向収納部１０９までの距離と、台紙山折線２０７から表面側方向収納部用穴部２０９までの位置とはほぼ等しい。
【００２２】
裏面側方向台紙２０５には、裏面側方向ブリスター１０５に形成された裏面側方向収納部１１１に対応する位置に裏面側方向収納部用穴部２１１が形成されている。
この裏面側方向収納部用穴部２１１は抜け穴構造となっており、裏面側方向収納部１１１の外周よりも僅かに大きく形成されている。
また、ブリスター山折線１０７から裏面側方向収納部１１１までの距離と、台紙山折線２０７から裏面側方向収納部用穴部２１１までの位置とはほぼ等しい。
【００２３】
表面側方向台紙２０３と裏面側方向台紙２０５の台紙山折線２０７とは反対側方向の位置には、それぞれ表面側方向台紙フック用穴部２１３ａと裏面側方向台紙フック用穴部２１３ｂとが設けられている。
表面側方向台紙フック用穴部２１３ａと裏面側方向台紙フック用穴部２１３ｂとは、台紙山折線２０７からほぼ同距離の位置に形成されている。
表面側方向台紙フック用穴部２１３ａ、裏面側方向台紙フック用穴部２１３ｂ及びブリスターフック用穴部１１３によって、フック用穴部１３が形成される。
【００２４】
表面側方向台紙２０３の台紙山折線２０７とは反対方向の端面を表面側方向台紙上方端部２０３ａといい、裏面側方向台紙２０５の台紙山折線２０７とは反対方向の端面を裏面側方向台紙上方端部２０５ａという。
【００２５】
図３は、第１の実施形態のブリスターパッケージ１を構成する各構成部材の位置関係の説明図である。
【００２６】
図３のように、ブリスター１０１の収納部に被収納物が挿入される。
より具体的には、表面側方向ブリスター１０３に形成されている表面側方向収納部１０９に表面側方向被収納物３０９が挿入される。また、裏面側方向ブリスター１０５に形成されている裏面側方向収納部１１１に裏面側方向被収納物３１１が挿入される。
なお、図３のように、表面側方向収納部１０９と裏面側方向収納部１１１は、ブリスター１０１の同一面側に構成されている。
ブリスター１０１はブリスター山折線１０７で表面側方向収納部１０９と裏面側方向収納部１１１が形成されている側に山折りされる。
台紙２０１も同じく山折されて、山折りされたブリスター１０１は台紙２０１の間に挟み込まれる。
より具体的には、台紙２０１の表面側方向台紙２０３は表面側方向ブリスター１０３側に、裏面側方向台紙２０５は裏面側方向ブリスター１０５側に、位置する様に挟み込まれる。
台紙２０１は、台紙山折線２０７において山折りされる。
なお、この際に、表面側方向ブリスター１０３の表面側方向収納部１０９が表面側方向台紙２０３の表面側方向収納部用穴部２０９を貫通するように組み立てられる。同様に、裏面側方向ブリスター１０５の裏面側方向収納部１１１が裏面側方向台紙２０５の裏面側方向収納部用穴部２１１を貫通するように組み立てられる。
【００２７】
図４は、図３のＩＶ−ＩＶにおける断面図である。
【００２８】
図４のように、ブリスターパッケージ１は、表面側方向から（紙面左側から）表面側方向台紙２０３、表面側方向ブリスター１０３、裏面側方向ブリスター１０５、裏面側方向台紙２０５の順に形成されている。
また、表面側方向台紙２０３と表面側方向ブリスター１０３との間には、表面側方向接着材部４０３が形成されており、表面側方向台紙２０３と表面側方向ブリスター１０３とを接合している。
同様に、裏面側方向台紙２０５と裏面側方向ブリスター１０５との間には、裏面側方向接着材部４０５が形成されており、裏面側方向台紙２０５と裏面側方向ブリスター１０５とを接合している。
なお、表面側方向接着材部４０３及び裏面側方向接着材部４０５は、接着が可能であればどのようなものであっても良い。
さらになお、表面側方向台紙２０３と表面側方向ブリスター１０３との間及び裏面側方向台紙２０５と裏面側方向ブリスター１０５との間を接合可能であれば、接着材料を用いる必要はない。たとえば、表面側方向台紙２０３若しくは表面側方向ブリスター１０３のいずれかを溶かす等して、圧着、熱着、溶着しても良い。裏面側方向台紙２０５若しくは裏面側方向ブリスター１０５との関係についても同様である。
また、ブリスター１０１及び台紙２０１を特定の形状にして接合させても良い。
【００２９】
なお、図４のように、表面側方向ブリスター１０３の表面側方向収納部１０９が表面側方向台紙２０３の表面側方向収納部用穴部２０９を貫通している。
また、裏面側方向ブリスター１０５の裏面側方向収納部１１１が裏面側方向台紙２０５の裏面側方向収納部用穴部２１１を貫通している。
さらに、図４のように、表面側方向収納部１０９と裏面側方向収納部１１１との間にも裏面側方向接着材部４０５が形成されている。
この表面側方向収納部１０９と裏面側方向収納部１１１との間に形成された裏面側方向接着材部４０５は、図４のように、裏面側方向ブリスター１０５の端部位置において、表面側方向ブリスター１０３と裏面側方向ブリスター１０５とを接合している。
【００３０】
図５は、表面側方向接着材部４０３及び裏面側方向接着材部４０５が形成されている部分の説明図である。
【００３１】
図５のように、表面側方向収納部１０９及び裏面側方向収納部１１１よりも外側位置に表面側方向接着材部４０３及び裏面側方向接着材部４０５が形成されている（図８の説明も参照のこと）。
【００３２】
以上のように構成したことから、第１の実施形態におけるブリスターパッケージ１は表面側方向収納部１０９に製品本体を収納しつつ、裏面側方向収納部１１１に付属品等を収納することが可能となる。
つまり、特許文献１及び特許文献２では、表面側方向にしか被収納物を収納する収納部が存在しなかったが、第１の実施形態では、表面側方向及び裏面側方向の両方に被収納物を収納することが可能となる。
そして、このことによって、表面側方向に製品本体を収納して商品をアピールすることが可能となり、さらに、アイキャッチャを形成（印刷等）するスペースを十分に確保することが可能となる。
【００３３】
以上のように構成したことから、図１４及び図１５に記載された技術よりも、強度を高めることが可能となっている。
つまり、図１４の技術では接着を行っていないので、簡単に、ブリスター１０１の表面側方向ブリスター１０３と裏面側方向ブリスター１０５との接合を引き離して、表面側方向収納部１０９又は裏面側方向収納部１１１の被収納物を取り出すことができる。
一方、第１の実施形態では図５のように、接着材部４０１の面積が極めて大きいので、容易に表面側方向ブリスター１０３と裏面側方向ブリスター１０５とを引き離すことができない。
また、図１５では、接着材部４０１による接着を行っているとはいえ、その接合は表面側方向台紙２０３と裏面側方向台紙２０５との接合はあくまで紙と紙との接合であり、強度が十分とはいえない。その結果、ブリスターパッケージ１が容易に破かれて、盗難に有ってしまうというおそれも有る。
一方、第１の実施形態では、表面側方向台紙２０３と強度の高い表面側方向ブリスター１０３とが表面側方向接着材部４０３で接合され、裏面側方向台紙２０５と強度の高い裏面側方向ブリスター１０５とが裏面側方向接着材部４０５で接合されている。そして、このことによって、ブリスターパッケージ１全体の強度を上げることが可能となっている。
以上のことから、ブリスターパッケージ１の強度が上がり、容易に被収納物が取り出されてしまう等の盗難を防止する効果が有る。
【００３４】
以上のように構成したことから、第１の実施形態におけるブリスターパッケージ１は被収納物を確実に保持することが可能となる。
つまり、図１４の技術では、台紙２０１とブリスター１０１、あるいは、ブリスター１０１の表面側方向ブリスター１０３と裏面側方向ブリスター１０５、とは周辺部でしか固定されていないので、被収納物を確実に保持することができない。
その結果、表面側方向収納部１０９又は裏面側方向収納部１１１に収納される被収容物（製品、付属品等）との固定が不十分になり易く、輸送中に外力が加わった場合に被収納物の位置がずれてしまうおそれが有る。
また、ずれが生じ無いとしても、輸送中に被収納物が振動し、ブリスター１０１又は台紙２０１と擦れてしまい、被収納物、ブリスター１０１又は台紙２０１に傷が生じてしまうおそれが有る。
そして、被収納物に傷が生じてしまうと商品価値が著しく低下してしまうし、ブリスター１０１又は台紙２０１に傷が生じてしまうとアイキャッチャとしての機能が著しく低下してしまう。
また、図１５の技術では表面側方向収納部１０９と裏面側方向収納部１１１とがオーバーラップしていることから、被収納物の保持が十分ではなかった。
一方、第１の実施形態では図５のように、表面側方向収納部１０９と裏面側方向収納部１１１とがオーバーラップしていないことから、被収納物の保持をより確実にすることができる。
【００３５】
以上のように構成したことから、第１の実施形態におけるブリスターパッケージ１はブリスター１０１による不必要な反射（てかり）を生じない構成とすることができる。
つまり、図１４に記載されている技術のブリスターパッケージ１においては台紙２０１が全てブリスター１０１（表面側方向ブリスター１０３等）によっておおわれている。その為、ブリスター１０１によって不必要な反射が生じてしまい、台紙２０１に印刷されたアイキャッチャが見えにくく（てかる）なってしまうという不利益があった。
つまり、ブリスター１０１によって光が反射してしまい、台紙２０１に印刷されたアイキャッチャが見えにくくなってしまっていた。
さらに、この図１４に記載されている技術のブリスターパッケージ１においては、アイキャッチャが変色して見えてしまうという不利益もあった。
つまり、ブリスター１０１は透明（半透明）に形成されているもののその光の透過率は１００％ではない為に、アイチャッチャの色彩が変わってしまう、又は、アイキャッチャの色が暗くなってしまうという不利益が有る。
一方、第１の実施形態では台紙２０１の外側方向にはブリスター１０１が配置されていないのであるから、ブリスター１０１によって不必要な反射（てかり）及びアイキャッチャが変色して見える等の事態は生じない。
【００３６】
以上のように構成したことから、第１の実施形態におけるブリスターパッケージ１は材料コスト及び環境負荷を軽減することが可能となる。
図１４に記載されている技術のブリスターパッケージ１においては、高価なブリスター１０１を大量に使用するため、コストが高くなってしまう。
また、ブリスター１０１に使用される材料は石油から生成されるプラスチックであることが多く、そして、石油は再生可能資源ではない。そのような、再生可能ではない資源を大量に使う構造は、それ自体欠点を有していると言える。さらに、製品購入後すぐに捨てられる可能性の高いブリスターパッケージ１に再生不可能な材料を大量に使っていることは、消費者に対する企業イメージを害する可能性も否定できない。
一方、第１の実施形態ではブリスター１０１の使用量を低減しているため、材料コスト及び環境負荷を軽減することが可能となっている。
【００３７】
以上のように構成したことから、第１の実施形態におけるブリスターパッケージ１は部品点数の削減を可能としている。
図１５に記載されている技術では、台紙２０１（表面側方向台紙２０３及び裏面側方向台紙２０５）、表面側方向ブリスター１０３、裏面側方向ブリスター１０５の３つの部品が必要である。
一方、第１の実施形態では、台紙２０１とブリスター１０１の２つの部品のみで構成されている。
したがって、部品点数を削減することができ組立コストを削減することができ、その結果、トータルコストの削減が可能となる。
【００３８】
ブリスター１０１は、同一面側に突出した凸状の複数の収納部を有し、ブリスター１０１が複数の収納部の間位置において折り返されることによって、ブリスター１０１には表面側方向及び裏面側方向のそれぞれに突出した凸状の収納部が形成される。
このように構成したことから、容易に組み立てることが可能となっている。
【００３９】
＜２．ブリスターパッケージ１の第１の実施形態についての組み立て方法の説明＞
以上の、第１の実施形態は、図１４及び図１５に記載されている従来技術よりも容易に組み立てを行うことが可能となる。
以下、まずは従来技術である図１５のブリスターパッケージ１の組み立て手順を説明する。
【００４０】
図１６は、図１５に記載された技術におけるブリスターパッケージ１を組み立てる方法の説明図である。
図１６のように、ブリスターパッケージ１は、第１のステップとして、台紙２０１の表面側方向台紙２０３の表面側方向収納部用穴部２０９に、表面側方向収納部１０９が挿入される。同様に、台紙２０１の裏面側方向台紙２０５の裏面側方向収納部用穴部２１１に、表面側方向収納部１０９と同一の方向に凸上の突起がくるようにして裏面側方向収納部１１１が挿入される。
第２のステップとして、表面側方向収納部１０９に表面側方向被収納物３０９が挿入される。同様に、裏面側方向収納部１１１に裏面側方向被収納物３１１が挿入される。
第３のステップとして、台紙山折線２０７から表面側方向台紙２０３と裏面側方向台紙２０５とを、表面側方向収納部１０９及び裏面側方向収納部１１１が突出している側とは反対側の面が対向するように折り合わせる。
この際、表面側方向台紙２０３の台紙山折線２０７とは反対側の端部である表面側方向台紙上方端部２０３ａと、裏面側方向台紙２０５の台紙山折線２０７とは反対側の端部である裏面側方向台紙上方端部２０５ａとが一致するように折り合わせる。
なお、後述する図６の場合と異なる点は、表面側方向収納部１０９の収納部長手方向端部１０９ａは、表面側方向台紙上方端部２０３ａ及び裏面側方向台紙上方端部２０５ａとは一致していない点で有る。
このような方法では、台紙山折線２０７から表面側方向台紙２０３と裏面側方向台紙２０５とを折り合わせる際に、裏面側方向収納部１１１に収納されている裏面側方向被収納物３１１が落ちないように手等で抑えながら折りたたむ必要が生じてしまう。
このような欠点は、図１４の技術においても同様である。
【００４１】
図６は、第１の実施形態のブリスターパッケージ１を組み立てる方法の説明図である。
【００４２】
第１の実施形態にように表面側方向ブリスター１０３と裏面側方向ブリスター１０５とが一体となっておりブリスター１０１をブリスター山折線１０７で山折りする場合には、落ちないように手等で抑えながら折りたたむ必要がなくなる。
以下、第１の実施形態のブリスターパッケージ１の組み立て手順を説明する。
図６のように、第１のステップとして、表面側方向収納部用穴部２０９に表面側方向収納部１０９が挿入され、裏面側方向収納部用穴部２１１に裏面側方向収納部１１１が挿入されるようにして、ブリスター１０１と台紙２０１とを組み合わせる。その際、図６のように、表面側方向収納部用穴部２０９及び裏面側方向収納部用穴部２１１が下になるようにして組み合わされる。
第２のステップとして、表面側方向収納部１０９に表面側方向被収納物３０９が挿入される。他方、裏面側方向収納部１１１へは裏面側方向被収納物３１１を挿入せずに、次の第３のステップによって台紙２０１及びブリスター１０１が折り合わされて裏面側方向収納部１１１が位置する場所に裏面側方向被収納物３１１を配置する。
第３のステップとして、台紙山折線２０７から表面側方向台紙２０３と裏面側方向台紙２０５とを、表面側方向収納部１０９及び裏面側方向収納部１１１が突出している側とは反対側の面が対向するように折り合わされる。
以上の説明したように、ブリスターパッケージ１を第１の実施形態のように構成したことから、裏面側方向被収納物３１１が落ちないように手等で抑えながら組み立てる必要がなくなる。
そして、それによって、ブリスターパッケージ１の組み立てが極めて容易になるという特段の効果を発揮することが可能となる。
【００４３】
ところで、第１の実施形態のブリスターパッケージ１は、図６のように、第１のステップにおいて、表面側方向ブリスター上方端部１０３ａと表面側方向台紙上方端部２０３ａを合わせている（図６（ａ）参照のこと）。
その後、ブリスター１０１及び台紙２０１を折り合わせて、表面側方向ブリスター上方端部１０３ａ及び表面側方向台紙上方端部２０３ａと裏面側方向台紙上方端部２０５ａとを合わせている（図６（ｃ）参照のこと）。
このことによって、表面側方向ブリスター１０３に形成されている表面側方向収納部１０９の位置を表面側方向台紙２０３に形成されている表面側方向収納部用穴部２０９に正確に位置決めすることができる。
同様に、裏面側方向ブリスター１０５に形成されている裏面側方向収納部１１１の位置を裏面側方向台紙２０５に形成されている裏面側方向収納部用穴部２１１に正確に位置決めすることができる。
より詳しく、図７を用いて説明する。なお、図７は、図６のＡ部分の拡大図である。
図１５に示される技術では図１６のように、表面側方向収納部１０９の収納部長手方向端部１０９ａは表面側方向台紙上方端部２０３ａとは一致させていない。
その結果、表面側方向収納部１０９と表面側方向収納部用穴部２０９との位置決めは、図７の表面側方向収納部側面１０９ｂと表面側方向穴部側面２０９ａとの接触によってなされる。なお、図７は本実施例における拡大図であり図１５に示される技術における拡大図ではないが、図１５における技術とこの部分は同一であることから、ここでは図７を用いて説明している。
ここで、表面側方向収納部側面１０９ｂとは表面側方向収納部１０９の側面であり、表面側方向穴部側面２０９ａとは表面側方向収納部用穴部２０９の表面側方向収納部側面１０９ｂに対向した側面をいう。
しかし、表面側方向収納部１０９は図７のようにアールを有していることから、表面側方向収納部側面１０９ｂと表面側方向穴部側面２０９ａとを完全に接触させることはできない。
その結果、表面側方向収納部側面１０９ｂと表面側方向穴部側面２０９ａとの間に隙間が生じ、表面側方向収納部１０９と表面側方向収納部用穴部２０９との位置決めを正確にすることができないという問題点が生ずる。
一方、第１の実施形態では、表面側方向ブリスター上方端部１０３ａ、表面側方向台紙上方端部２０３ａ及び裏面側方向台紙上方端部２０５ａを合わせていることから、より正確に位置決めをすることが可能となっている。
また、表面側方向ブリスター上方端部１０３ａ、表面側方向台紙上方端部２０３ａ及び裏面側方向台紙上方端部２０５ａを合わせることは比較的容易であり、図１５における技術に比べて製造時のコストの低下を図ることができる。
なお、裏面側方向収納部１１１と裏面側方向収納部用穴部２１１との関係についても同様である。
【００４４】
＜３．ブリスターパッケージ１の第１の実施形態についての表面側方向用切取線１７及び裏面側方向用切取線１９の説明＞
第１の実施形態は、表面側方向用切取線１７及び裏面側方向用切取線１９が設けられているとより好適である。
つまり、前述したが本実施例において表面側方向収納部１０９に収納されている表面側方向被収納物３０９及び裏面側方向収納部１１１に収納されている表面側方向被収納物３０９が容易に取り出されないことも一つの効果としている。
この効果は、表面側方向台紙２０３と強度の高い表面側方向ブリスター１０３とが表面側方向接着材部４０３で接合され、裏面側方向台紙２０５と強度の高い裏面側方向ブリスター１０５とが裏面側方向接着材部４０５で接合されている事によって達成されている。
しかし、このような効果が有るということは、換言すればユーザが購入した後に、製品本体及び付属品等をブリスターパッケージ１から取り出すことが困難ということをも意味している。
この問題点を解決するために表面側方向用切取線１７及び裏面側方向用切取線１９が必要とされる。もっとも、好適な実施形態に過ぎず、表面側方向用切取線１７及び裏面側方向用切取線１９は必須ではないことはいうまでもない。
なお、ここで問題としている製品本体及び付属品等をブリスターパッケージ１から取り出すことが困難というのは第１の実施例のように接着材部４０１を用い、かつ、その範囲が広範囲である場合での問題点に過ぎず、本発明自体に内在する問題点ではない。
【００４５】
図８は、表面側方向用切取線１７及び裏面側方向用切取線１９の説明図である。
【００４６】
図８は、表面側方向用切取線１７及び裏面側方向用切取線１９と、接着材部４０１（表面側方向接着材部４０３及び裏面側方向接着材部４０５）との位置関係を表している。
図８（ａ）で、斜めにハッチングしている部分は、接着材部４０１が形成されている部分で有る。また、図８（ｂ）では、接着材部４０１が形成されている部は表面側方向接着材部４０３又は裏面側方向接着材部４０５として黒塗りされている。
また、一点鎖線で表されている線（表面側方向用切取線１７及び裏面側方向用切取線１９）は現実に切取線として、裏面側方向台紙２０５に印刷されている。
この印刷された表面側方向用切取線１７及び裏面側方向用切取線１９は、製品を購入したユーザがハサミ等を入れるためのガイドとしての役割を有している。
図８のように、表面側方向用切取線１７及び裏面側方向用切取線１９とある程度の間隔を有して、接着材部４０１（表面側方向接着材部４０３及び裏面側方向接着材部４０５）が形成されている。
また、表面側方向用切取線１７及び裏面側方向用切取線１９は、接着材部４０１の内部側にのみ形成されており、表面側方向用切取線１７及び裏面側方向用切取線１９の内部側には接着材部４０１は一切形成されていない。
その為、表面側方向用切取線１７に沿ってブリスターパッケージ１をハサミ等で切り取れば、表面側方向収納部１０９については裏面側方向台紙２０５と表面側方向ブリスター１０３とを接合する部材がなくなる。
その結果、ユーザは裏面側方向台紙２０５と表面側方向ブリスター１０３とを容易に引きはなして表面側方向収納部１０９の内部の表面側方向被収納物３０９を容易に取り出すことが可能となる。
同様に、裏面側方向用切取線１９に沿ってブリスターパッケージ１をハサミ等で切り取れば、裏面側方向収納部１１１については裏面側方向ブリスター１０５と表面側方向ブリスター１０３とを対向した位置関係に保持する部材がなくなる。
その結果、ユーザは裏面側方向ブリスター１０５と表面側方向ブリスター１０３とを容易に引きはなして裏面側方向収納部１１１の内部の裏面側方向被収納物３１１を容易に取り出すことが可能となる。
【００４７】
図９は、図８のＢ部分の拡大図である。
【００４８】
図９は、表面側方向収納部１０９における接着材部４０１が形成されている部分をより詳細に説明している。
図９のように、表面側方向台紙２０３と表面側方向ブリスター１０３とは表面側方向接着材部４０３によって接着されている。
また、表面側方向ブリスター１０３と裏面側方向台紙２０５は、裏面側方向接着材部４０５によって接着されている。
以上によって、表面側方向台紙２０３、表面側方向ブリスター１０３及び裏面側方向台紙２０５は一体化しており、表面側方向収納部１０９に収納されている表面側方向被収納物３０９をそのままでは取り出すことはできない。
取り出すためには、裏面側方向台紙２０５又は表面側方向ブリスター１０３の一部を切り裂くか、裏面側方向台紙２０５と表面側方向ブリスター１０３とを接合している裏面側方向接着材部４０５の接合を無理やり剥がすかしかない。
しかし、裏面側方向台紙２０５又は表面側方向ブリスター１０３の一部を切り裂くのは困難である。同様に、裏面側方向接着材部４０５の接合を剥がすのも裏面側方向接着材部４０５の接合は広範囲を接合しているのであるから同じく困難である。
そこで、表面側方向用切取線１７に沿って、切り取れば容易に裏面側方向台紙２０５と表面側方向ブリスター１０３とを引き離すことが可能となっている。
その為に、表面側方向収納部１０９の外周方向に、順に、表面側方向収納部側面１０９ｂ、表面側方向穴部側面２０９ａ、表面側方向用切取線１７、表面側方向接着材部端面４０３ａ（裏面側方向接着材部端面４０５ａ）が位置するように形成している。
なお、この構成は裏面側方向用切取線１９についても同様である。
以上のように構成したことから、第１の実施形態におけるブリスターパッケージ１は  より容易に被収容物を取り出すことが可能となっている。
【００４９】
＜４．ブリスターパッケージ１の第２の実施形態の説明＞
上記してきたブリスターパッケージ１の第１の実施形態では、ブリスター１０１はブリスター山折線１０７において折りたたまれていたが、ブリスター１０１はこのような形態である必要は必ずしもない。
本発明の本質は、ブリスター１０１の表面側方向及び裏面側方向に台紙２０１が配置されることである。
そこで、以下に、ブリスター１０１の形状が異なる第２の実施例について説明する。
【００５０】
図１０は、第２の実施形態におけるブリスターパッケージ１の各構成要件の展開図である。
【００５１】
図１０（ａ）のように、ブリスター１０１は、表面側方向収納部１０９と裏面側方向収納部１１１が一枚板に形成されている。つまり、第１の実施形態のように山折されることはない。
そして、表面側方向収納部１０９と裏面側方向収納部１１１は、それぞれ異なる方向に凸状に突起して形成されている。
図１０（ｂ）は、台紙２０１の図であるが図２のところで説明した内容と全く同一であるので省略する。
また、第２の実施形態におけるブリスターパッケージ１が組み立てられた後の外観は第１の実施形態（図１参照）と基本的に同一である。
【００５２】
図１１は、第２の実施形態のブリスターパッケージ１を構成する各構成部材の位置関係の説明図である。
【００５３】
図１１のように、ブリスター１０１の収納部に被収納物が挿入される。
より具体的には、表面側方向に形成されている表面側方向収納部１０９に表面側方向被収納物３０９が挿入される。また、裏面側方向に形成されている裏面側方向収納部１１１に裏面側方向被収納物３１１が挿入される。
なお、図１１のように、表面側方向収納部１０９と裏面側方向収納部１１１は、ブリスター１０１の表面側方向及び裏面側方向にそれぞれ構成されている。
台紙２０１は、台紙山折線２０７において山折りされる。
なお、この際に、表面側方向収納部１０９が表面側方向台紙２０３の表面側方向収納部用穴部２０９を貫通するように組み立てられる。同様に、裏面側方向収納部１１１が裏面側方向台紙２０５の裏面側方向収納部用穴部２１１を貫通するように組み立てられる。
【００５４】
図１２は、図１１のＸＩＩ−ＸＩＩにおける断面図である。
【００５５】
図１２のように、ブリスターパッケージ１は、表面側方向から（紙面左側から）表面側方向台紙２０３、ブリスター１０１、裏面側方向台紙２０５の順に形成されている。
また、表面側方向台紙２０３とブリスター１０１との間には、表面側方向接着材部４０３が形成されており、表面側方向台紙２０３とブリスター１０１とを接合している。
同様に、裏面側方向台紙２０５とブリスター１０１との間には、裏面側方向接着材部４０５が形成されており、裏面側方向台紙２０５とブリスター１０１とを接合している。
なお、表面側方向接着材部４０３及び裏面側方向接着材部４０５は、接着が可能であればどのようなものであっても良い。
さらになお、表面側方向台紙２０３とブリスター１０１との間及び裏面側方向台紙２０５とブリスター１０１との間を接合可能であれば、接着材料を用いる必要はない。たとえば、表面側方向台紙２０３若しくはブリスター１０１のいずれかを溶かす等して、圧着、熱着、溶着しても良い。裏面側方向台紙２０５若しくはブリスター１０１との関係についても同様である。
【００５６】
なお、図１２のように、ブリスター１０１の表面側方向収納部１０９が表面側方向台紙２０３の表面側方向収納部用穴部２０９を貫通している。
また、ブリスター１０１の裏面側方向収納部１１１が裏面側方向台紙２０５の裏面側方向収納部用穴部２１１を貫通している。
【００５７】
以上のように構成したことから、第２の実施形態におけるブリスターパッケージ１は表面側方向収納部１０９に製品本体を収納しつつ、裏面側方向収納部１１１に付属品等を収納することが可能となる。
つまり、特許文献１及び特許文献２では、表面側方向にしか被収納物を収納する収納部が存在しなかったが、第２の実施形態では、表面側方向及び裏面側方向の両方に被収納物を収納することが可能となる。
そして、このことによって、表面側方向に製品本体を収納して商品をアピールすることが可能となり、さらに、アイキャッチャを形成（印刷等）するスペースを十分に確保することが可能となる。
【００５８】
＜５．ブリスターパッケージ１の第２の実施形態についての組み立て方法の説明＞
このように構成した第２の実施形態においては、第１の実施形態よりもより容易に組み立てることが可能となる。
以下に、説明する。
【００５９】
図１３、第２の実施形態のブリスターパッケージ１を組み立てる方法の説明図である。
【００６０】
以下、第２の実施形態のブリスターパッケージ１の組み立て手順を説明する。
図１３のように、第１のステップとして、ブリスター１０１の表面側方向収納部用穴部２０９に表面側方向収納部１０９を挿入する。同時に、表面側方向台紙２０３の山折りされた際に内部側になる面で、かつ、ブリスター１０１の裏面側方向収納部１１１が位置する場所に対応する位置に、裏面側方向被収納物３１１を配置する。
第２のステップとして、既に表面側方向収納部用穴部２０９に表面側方向収納部１０９が挿入された状態のブリスター１０１を、表面側方向収納部１０９が表面側方向収納部用穴部２０９に挿入されるようにして、台紙２０１に組み付ける。
第３のステップとして、台紙山折線２０７から表面側方向台紙２０３と裏面側方向台紙２０５とを、表面側方向収納部１０９及び裏面側方向収納部１１１が突出している側とは反対側の面が対向するように折り合わせる。
以上の説明したように、ブリスターパッケージ１を第２の実施形態のように構成し、ブリスター１０１を第１の実施形態のように山折しなくてよくなるため、より容易に組み立てることが可能となっている。
【００６１】
また、第１のステップにおいてブリスター上方端部１０１ａと表面側方向台紙上方端部２０３ａを合わせている（図１３（ａ）参照のこと）。
その後、ブリスター１０１及び台紙２０１を折り合わせて、ブリスター上方端部１０１ａ及び表面側方向台紙上方端部２０３ａと裏面側方向台紙上方端部２０５ａとを合わせている（図１３（ｃ）参照のこと）。
このことによって、ブリスター１０１に形成されている表面側方向収納部１０９の位置を表面側方向台紙２０３に形成されている表面側方向収納部用穴部２０９に正確に位置決めすることができる。
同様に、ブリスター１０１に形成されている裏面側方向収納部１１１の位置を裏面側方向台紙２０５に形成されている裏面側方向収納部用穴部２１１に正確に位置決めすることができる。
また、ブリスター上方端部１０１ａ、表面側方向台紙上方端部２０３ａ及び裏面側方向台紙上方端部２０５ａを合わせることは比較的容易であり、第１の実施形態におけるよりもさらに製造時のコストの低下を図ることができる。
【００６２】
以上の実施形態によれば、本発明のブリスターパッケージ１は、表面側方向と裏面側方向のそれぞれに突出した凸状の収納部（表面側方向収納部１０９及び裏面側方向収納部１１１）を有するように形成されているブリスター１０１を有している。
そして、収納部に収納される被収納物を保持する台紙２０１が、ブリスター１０１の両面に接着され、ブリスター１０１の収納部の周辺を切れ目無く囲むように、台紙２０１が接着されている。
以上のように構成されていることから、第２の実施形態におけるブリスターパッケージ１は表面側方向収納部１０９に製品本体を収納しつつ、裏面側方向収納部１１１に付属品等を収納することが可能となる。
また、以上のように構成したことから、強度を高めることが可能となっている。
さらに、第２の実施形態におけるブリスターパッケージ１は被収納物を確実に保持することが可能となる。
加えて、以上のように構成したことからブリスターパッケージ１はブリスター１０１による不必要な反射（てかり）を生じない構成とすることができる。
【００６３】
ブリスター１０１は、表面側方向及び裏面側方向に突出した複数の凸状の収納部を有する。
このように構成したことから、さらに容易に組み立てることが可能となっている。
【００６４】
ブリスター１０１の両面方向に接着される台紙２０１の大きさは、ブリスター１０１の大きさと同等又はそれ以上であり、台紙２０１には、それぞれ収納部が突出するための穴部（表面側方向収納部用穴部２０９及び裏面側方向収納部用穴部２１１）を有する。
このような構成によって、台紙２０１は完全にブリスター１０１を挟み込み、かつ、確実に固定することが可能となっている。
【００６５】
台紙２０１は、一体で、折り曲げられることによって、ブリスター１０１の両面に接着される。
このように構成する事によって、より容易にブリスターパッケージ１を組み立てることが可能となっている。
【００６６】
ブリスター１０１と、表面側方向台紙２０３又は裏面側方向台紙２０５とは、少なくとも一辺の端面が揃えられて接着されている。
このことによって、ブリスター１０１に形成されている表面側方向収納部１０９の位置を表面側方向台紙２０３に形成されている表面側方向収納部用穴部２０９に正確に位置決めすることができる。
【００６７】
ブリスター１０１の収納部の周囲に接着部の内側に非接着部分を有する。
このように構成したことから、ブリスターパッケージ１の強度を確保しつつより容易に被収納物を取り出すことが可能となる。
【００６８】
台紙２０１上に、被収納物を取り出すための台紙２０１の非接触部分を切り出すための目印を有する。
このように構成したことから、ブリスターパッケージ１の強度を確保しつつより容易に被収納物を取り出すことが可能となる。
【００６９】
本発明は、以上の実施形態に限定されず、種々の態様で実施されてよい。
【００７０】
ブリスターパッケージ１は、様々な製品を被収納物として収納することが可能である。
また、ブリスター１０１及び台紙２０１の形状、材料は必要に応じて変化可能である。
ブリスター１０１と台紙２０１の結合は必要に応じて様々な方法をとることが可能である。
【符号の説明】
【００７１】
１…ブリスターパッケージ、１３…フック用穴部、１７…表面側方向用切取線、１９…裏面側方向用切取線、１０１…ブリスター、１０１ａ…ブリスター上方端部、１０３…表面側方向ブリスター、１０３ａ…表面側方向ブリスター上方端部、１０５…裏面側方向ブリスター、１０７…ブリスター山折線、１０９…表面側方向収納部、１０９ａ…収納部長手方向端部、１０９ｂ…収納部側面、１１１…裏面側方向収納部、１１１ａ…裏面側方向収納部側面、１１３…ブリスターフック用穴部、２０１…台紙、２０３…表面側方向台紙、２０３ａ…表面側方向台紙上方端部、２０５…裏面側方向台紙、２０５ａ…裏面側方向台紙上方端部、２０７…台紙山折線、２０９…表面側方向収納部用穴部、２０９ａ…表面側方向穴部側面、２１１…裏面側方向収納部用穴部、２１３ａ…表面側方向台紙フック用穴部、２１３ｂ…裏面側方向台紙フック用穴部、３０９…表面側方向被収納物、３１１…裏面側方向被収納物、４０１…接着材部、４０３…表面側方向接着材部、４０３ａ…表面側方向接着材部端面、４０５…裏面側方向接着材部、４０５ａ…裏面側方向接着材部端面
【図１】
2011213398.tif 000003
【図２】
2011213398.tif 000004
【図３】
2011213398.tif 000005
【図４】
2011213398.tif 000006
【図５】
2011213398.tif 000007
【図６】
2011213398.tif 000008
【図７】
2011213398.tif 000009
【図８】
2011213398.tif 000010
【図９】
2011213398.tif 000011
【図１０】
2011213398.tif 000012
【図１１】
2011213398.tif 000013
【図１２】
2011213398.tif 000014
【図１３】
2011213398.tif 000015
【図１４】
2011213398.tif 000016
【図１５】
2011213398.tif 000017
【図１６】
2011213398.tif 000018